(57)【要約】      （修正有）【課題】下着や着衣を排泄物で汚すこと無く、長時間の着用でも蒸れを軽減することが可能なオムツを提供する。【解決手段】第一の腰部カバー１０と、股間カバー１１と、第二の腰部カバー１２と、挿入カバー１３と、気泡緩衝材１４と、吸収シート１５と、を備える。第一の腰部カバー１０は、右端部１０ａと左端部１０ｂがユーザーの腰部の背面から正面にそれぞれ回されて当該腰部の正面に配置されることで当該腰部に巻き付けられる。股間カバー１１は、一方の端部が第一の腰部カバー１０の下方中央端部１０ｃから連接され、他方の端部がユーザーの腰部の背面下方から股間をくぐらせて当該股間の正面まで引き上げられる。第二の腰部カバー１２は、一方の中央端部が股間カバー１１の他方の端部１１ａから連接され、他方の端部がユーザーの腰部の正面に配置されることで、当該ユーザーの股間から腰部の正面まで末広がりに覆う。【選択図】図１
0003195632.tif 000002
【実用新案登録請求の範囲】
【請求項１】
右端部と左端部がユーザーの腰部の背面から正面にそれぞれ回されて当該腰部の正面に配置されることで当該腰部に巻き付けられる第一の腰部カバーと、
一方の端部が前記第一の腰部カバーの下方中央端部から連接され、他方の端部がユーザーの腰部の背面下方から股間をくぐらせて当該股間の正面まで引き上げられる股間カバーと、
一方の中央端部が前記股間カバーの他方の中央端部から連接され、他方の端部がユーザーの腰部の正面に配置されることで、当該ユーザーの股間から腰部の正面まで末広がりに覆う第二の腰部カバーと、
一方の端部が前記第二の腰部カバーの他方の中央端部に接続され、前記第二の腰部カバーがユーザーの腰部の正面に配置された第一の腰部カバーの左右端部の上面に覆った場合に、他方の端部が前記第一の腰部カバーの左右端部の内面に挿入される挿入カバーと、
内部に空気が封入された複数の突出体がシート上に設けられることで構成され、前記股間カバーの上面のうち、ユーザーの股間の背面から正面までに対面する領域に、前記突出体が前記ユーザーの股間に向かって突出するように配置される気泡緩衝材と、
前記気泡緩衝材の上面のうち、ユーザーの股間の背面から正面までに対面する領域に設けられる吸収シートと、
を備えることを特徴とするオムツ。
【考案の詳細な説明】
【技術分野】
【０００１】
本考案は、オムツに関する。
【背景技術】
【０００２】
従来のオムツ（オムツカバー）は、布の表面に、伸縮性のゴム等の素材を合体させたものであり、ユーザーが何らかの理由により尿や下痢等の排泄物を漏らした場合に、当該オムツに予め設けられた吸収性素材が当該排泄物を吸収し、当該排泄物の外部への漏れを防止する。このようなオムツでは、ユーザーの脚を通すオムツの脚開口部の周端部、及びユーザーの胴体周りに位置するオムツのウエスト開口部の周端部に、伸縮性のギャザーが形成される。これにより、排泄物の外部への漏れを確実に防止する。
【０００３】
又、例えば、特開２０１２−０００４４５号公報（特許文献１）、特開２０１１−１３９８７５号公報（特許文献２）、特開２００７−０１４７４３号公報（特許文献３）、特開平８−１５０１６３号公報（特許文献４）には、オムツの構成、形状、素材等が開示されている。
【先行技術文献】
【特許文献】
【０００４】
【特許文献１】特開２０１２−０００４４５号公報
【特許文献２】特開２０１１−１３９８７５号公報
【特許文献３】特開２００７−０１４７４３号公報
【特許文献４】特開平８−１５０１６３号公報
【考案の概要】
【考案が解決しようとする課題】
【０００５】
しかしながら、従来のオムツの構成では、排泄物の外部への漏れを確実にするために、通気性が乏しくなる傾向があり、オムツの長時間の着用でユーザーの脚周りや股部が蒸れるという課題がある。
【０００６】
又、従来の使い捨てオムツ又はパンツは、１回の排尿又は排便毎に新しいオムツ又はパンツに交換しなければならないため、不経済であるとともに、大量のゴミを生じさせるという課題がある。
【０００７】
そこで、本考案は、前記課題を解決するためになされたものであり、下着や着衣を排泄物で汚すこと無く、長時間の着用でも蒸れを軽減することが可能なオムツを提供することを目的とする。
【課題を解決するための手段】
【０００８】
本考案に係るオムツは、第一の腰部カバーと、股間カバーと、第二の腰部カバーと、挿入カバーと、気泡緩衝材と、吸収シートと、を備える。第一の腰部カバーは、右端部と左端部がユーザーの腰部の背面から正面にそれぞれ回されて当該腰部の正面に配置されることで当該腰部に巻き付けられる。股間カバーは、一方の端部が前記第一の腰部カバーの下方中央端部から連接され、他方の端部がユーザーの腰部の背面下方から股間をくぐらせて当該股間の正面まで引き上げられる。第二の腰部カバーは、一方の中央端部が前記股間カバーの他方の端部から連接され、他方の端部がユーザーの腰部の正面に配置されることで、当該ユーザーの股間から腰部の正面まで末広がりに覆う。挿入カバーは、一方の端部が前記第二の腰部カバーの他方の中央端部に接続され、前記第二の腰部カバーがユーザーの腰部の正面に配置された第一の腰部カバーの左右端部の上面に覆った場合に、他方の端部が前記第一の腰部カバーの左右端部の内面に挿入される。気泡緩衝材は、内部に空気が封入された複数の突出体がシート上に設けられることで構成され、前記股間カバーの上面のうち、ユーザーの股間の背面から正面までに対面する領域に、前記突出体が前記ユーザーの股間に向かって突出するように配置される。吸収シートは、前記気泡緩衝材の上面のうち、ユーザーの股間の背面から正面までに対面する領域に設けられる。
【考案の効果】
【０００９】
本考案のオムツによれば、下着や着衣を汚物で汚すこと無く、長時間の着用でも蒸れを軽減することが可能となる。
【図面の簡単な説明】
【００１０】
【図１】本考案に係るオムツを示す正面図である。
【図２】本考案に係るオムツを示す背面図である。
【図３】本考案に係るオムツを示すＡ−Ａ線断面図及び気泡緩衝材の概略図である。
【図４】本考案に係るオムツをユーザーが装着する際の側面図（図４Ａ）と、本考案に係るオムツをユーザーが装着する際の正面斜視図（図４Ｂ）と、である。
【図５】本考案に係るオムツをユーザーが装着する際の背面斜視図（図５Ａ）と、本考案に係るオムツの紐をユーザーが結んだ際の正面斜視図（図５Ｂ）と、である。
【図６】本考案に係るオムツをユーザーが装着した際の正面斜視図（図６Ａ）と、本考案に係るオムツの挿入カバーをユーザーが内部に挿入した際の正面斜視図（図６Ｂ）と、である。
【考案を実施するための形態】
【００１１】
以下に、添付図面を参照して、本考案のオムツの実施形態について説明し、本考案の理解に供する。尚、以下の実施形態は、本考案を具体化した一例であって、本考案の技術的範囲を限定する性格のものではない。
【００１２】
本考案に係るオムツ１は、図１、図２に示すように、右端部１０ａと左端部１０ｂがユーザーの腰部の背面（後面）から正面（前面）にそれぞれ回されて当該腰部の正面に配置されることで当該腰部に巻き付けられる第一の腰部カバー１０と、一方の端部が前記第一の腰部カバー１０の下方中央端部１０ｃから連接され、他方の端部がユーザーの腰部の背面下方から股間をくぐらせて当該股間の正面まで引き上げられる股間カバー１１と、一方の中央端部が前記股間カバー１１の他方の端部１１ａから連接され、他方の端部がユーザーの腰部の正面に配置されることで、当該ユーザーの股間から腰部の正面まで末広がりに覆う第二の腰部カバー１２と、一方の端部が前記第二の腰部カバー１２の他方の中央端部１２ａに接続され、前記第二の腰部カバー１２がユーザーの腰部の正面に配置された第一の腰部カバー１０の左右端部１０ａ、１０ｂの上面に覆った場合に、他方の端部が前記第一の腰部カバー１０の左右端部１０ａ、１０ｂの内面に挿入される挿入カバー１３と、を備える。
【００１３】
更に、本考案に係るオムツ１は、図１−図３に示すように、内部に空気が封入された複数の突出体１４ａがシート１４ｂ上に設けられることで構成され、前記股間カバー１０の上面のうち、ユーザーの股間の背面から正面までに対面する領域に、前記突出体１４ａが前記ユーザーの股間に向かって突出するように配置された気泡緩衝材１４と、前記気泡緩衝材１４の上面のうち、ユーザーの股間の背面から正面までに対面する領域に設けられた吸収シート１５と、を備える。
【００１４】
これにより、下着や着衣を排泄物で汚すこと無く、長時間の着用でも蒸れを軽減することが可能となる。即ち、本考案では、第一の腰部カバー１０と、股間カバー１１と、第二の腰部カバー１２とを備えることで、全体としてふんどしの形状となるため、ユーザーがオムツ１を装着する際に、第一の腰部カバー１０を腰部の背面から巻いて、股間カバー１１を股間に通し、第二の腰部カバー１２を腰部の正面に配置すれば、ふんどしを装着する感覚でオムツ１を装着することが可能となる。又、第二の腰部カバー１２は、ユーザーの股間から腰部の正面まで末広がりに覆うような形状であるため、ユーザーの腰部の正面の装着具合を良好にする。次に、本考案では、挿入カバー１３を備えることで、第二の腰部カバー１２を腰部の正面に配置した際に、当該挿入カバー１３（他方の端部）を、第一の腰部カバー１０の左右端部１０ａ、１０ｂの内面に挿入すれば、挿入カバー１３が引っ掛かりとして機能して、ユーザーの腰部や股間に第一の腰部カバー１０と股間カバー１１と第二の腰部カバー１２とを強固に装着させることが出来るため、ユーザーが動いたり座ったりしても、オムツ１が外れ難くなる。逆に、挿入カバー１３（他方の端部）を外せば、第二の腰部カバー１２、股間カバー１１が下に垂れるため、簡単にオムツ１を外すことが可能となる。
【００１５】
特に、ふんどし型のオムツ１では、従来のオムツ１と比較して嵩張りが無くなるため、この上に下着や着衣を装着したとしても、外部からオムツ１を装着しているかどうかが分かり難く、外観上も優れている。
【００１６】
更に、ふんどし型のオムツ１において、ユーザーの股間と対面する股間カバー１１の領域に、先ず、気泡緩衝材１４を配置して、その後に、吸収シート１５を配置することで、ふんどし型の股間カバー１１の外部から内部へ気泡緩衝材１４を介して空気の出入を可能とし、透気性を高め、ユーザーの股間辺りに生じる蒸れを防止することが出来る。特に、ふんどし型のオムツ１では、股間カバー１１の外周端から空気が比較的入り易い構成となるため、気泡緩衝材１４によって更にオムツ１の透気性を向上させ、長時間の着用でも蒸れを確実に軽減することが出来る。
【００１７】
又、ユーザーがふんどし型のオムツ１を着用した状態で着座した場合、吸収シート１５が股間に当たっていたとしても、その下の気泡緩衝材１４の突出体１４ａがユーザーの股間に向かって突出しているため、この突出体１４ａがクッションとして機能し、ユーザーにゴワゴワ感を生じさせること無く、不快感を与えずに、ユーザーの座り心地を良くする。
【００１８】
又、仮に、ユーザーが何らかの理由により排泄物を漏らしたとしても、先ず、ユーザーの股間に当たっている吸収シート１５が排泄物を吸収するが、その下の気泡緩衝材１４の突出体１４ａがユーザーの股間に向かって突出することで、凹状の受け皿として機能する。そして、吸収シート１５が吸収しきれずに排泄物を下へ漏らしたとしても、気泡緩衝材１４が当該漏れた排泄物を受け止める形態となり、排泄物の漏れを防止することが可能となる。又、気泡緩衝材１４の突出体１４ａ相互の間隔に、当該漏れた排泄物が入り込む（浸透する）形態となっていることから、更に、排泄物の漏れを確実に防止することが可能となり、ふんどし型のオムツ１も、その上に着用する下着や着衣も排泄物で汚すことが無くなる。
【００１９】
ここで、気泡緩衝材１４及び吸収シート１５は、通常、市販されているものであり、ユーザーは容易に入手することが可能である。そのため、仮に、ユーザーが排泄物を漏らした結果、気泡緩衝材１４及び吸収シート１５が排泄物で汚れたとしても、これらをふんどし型のオムツ１の股間カバー１１から外して、新たな気泡緩衝材１４及び吸収シート１５を配置すれば、直ぐにオムツ１を使用することが出来る。このように、基材となるふんどし型のオムツ１は繰り返し使用することが可能となり、経済性に優れている。
【００２０】
ここで、第一の腰部カバー１０と、股間カバー１１と、第二の腰部カバー１２と、挿入カバー１３との構成に特に限定は無い。例えば、第一の腰部カバー１０と、股間カバー１１と、第二の腰部カバー１２と、挿入カバー１３とを一つの素材（例えば、布）で一体形成するよう構成すると好ましい。これにより、例えば、第一の腰部カバー１０と、股間カバー１１と、第二の腰部カバー１２と、挿入カバー１３とから構成される一つの形状に対応して、一式の片刃を予め用意し、この片刃で一つの素材を一回の切断により切り抜くと、第一の腰部カバー１０と、股間カバー１１と、第二の腰部カバー１２と、挿入カバー１３とを容易に作成することが可能となる。一方、第一の腰部カバー１０と、股間カバー１１と、第二の腰部カバー１２と、挿入カバー１３とを別個独立に裁断して、後から、全てを縫合するよう構成しても構わない。
【００２１】
又、第一の腰部カバー１０の付加構成に特に限定は無い。例えば、右端部１０ａと左端部１０ｂとを含む第一の腰部カバー１０の上方端部の全部に長尺円筒状の紐通し１６を設け、当該紐通し１６に、ユーザーの腰部を一周以上する長さの紐１７を通す構成であると好ましい。これにより、ユーザーがふんどし型のオムツ１を着用する際に、ユーザーが、第一の腰部カバー１０の紐１７を腰部の背面から正面に巻き付けることで、当該紐１７を介して第一の腰部カバー１０の紐通し１６が、右端部１０ａと左端部１０ｂを腰部の背面から正面にそれぞれ回して当該右端部１０ａと左端部１０ｂを腰部の正面に配置させる。そして、ユーザーが、紐１７の両端部を腰部の正面で結わえば、第一の腰部カバー１０を適切に腰部に巻き付けることが可能となる。
【００２２】
又、第一の腰部カバー１０の右端部１０ａの下方端部近傍に、紐等の第一の留め部１８を設け、前記第一の腰部カバー１０の左端部１０ｂの下方端部近傍に、前記第一の留め部１８に着脱可能な第二の留め部１９を設け、紐１７の両端部を、第一の腰部カバー１０の右端部１０ａと左端部１０ｂとを対向させた上で結んだ後に、第一の留め部１８を第二の留め部１９に付着させると好ましい。これにより、第一の腰部カバー１０をユーザーの腰部に更に強固に巻き付けておくことが可能となる。尚、前記第一の留め部１８と、前記第二の留め部１９とが紐の場合は、両者を結ぶことで付着させることになり、前記第一の留め部１８と、前記第二の留め部１９とが面ファスナーの場合は、両者を対面させることで付着させることになる。
【００２３】
又、第一の腰部カバー１０に対する第二の腰部カバー１２の配置形態に特に限定は無い。例えば、第一の腰部カバー１０の背面で、右端部１０ａの近傍と左端部１０ｂの近傍のそれぞれに、面ファスナー等の第一の着脱部２０を設け、第二の腰部カバー１２の背面で、当該第二の腰部カバー１２がユーザーの腰部の正面を覆った場合に前記第一の腰部カバー１０の右端部１０ａの近傍と左端部１０ｂの近傍とに対面する位置に、前記第一の着脱部２０に着脱可能な第二の着脱部２１を設けると好ましい。これにより、ユーザーは、股間カバー１１を股間に通して第一の腰部カバー１０に第二の腰部カバー１２を配置させる場合、第一の着脱部２０及び第二の着脱部２１を介して第二の腰部カバー１２を軽く固定することが出来るため、ユーザーへのオムツ１の装着を容易にする。
【００２４】
又、股間カバー１１への気泡緩衝材１４の配置（接合）形態に特に限定は無い。例えば、接着剤又は両面接着テープを用いて、気泡緩衝材１４を股間カバー１１の特定の領域に接着しても良いし、気泡緩衝材１４を股間カバー１１の特定の領域に熱溶着して接合しても良い。気泡緩衝材１４の交換を考慮すると、両面接着テープによる配置形態が好ましい。
【００２５】
又、気泡緩衝材１４への吸収シート１５の配置（接合）形態に特に限定は無い。例えば、接着剤又は両面接着テープを用いて、吸収シート１５を気泡緩衝材１４の特定の領域に接着しても良いし、吸収シート１５を気泡緩衝材１４の特定の領域に熱溶着して接合しても良い。吸収シート１５の交換を考慮すると、両面接着テープによる配置形態が好ましい。
【００２６】
又、気泡緩衝材１４及び吸収シート１５のサイズに特に限定は無い。例えば、気泡緩衝材１４の縦横サイズは、吸収シート１５の縦横サイズよりも所定の幅（例えば、数ｍｍから数ｃｍ）だけ大きいサイズであると好ましい。これにより、漏れた排泄物の量が多量である場合、気泡緩衝材１４が十分に受け皿として機能するため、外部への排泄物の漏れを十分に防止することが可能となる。
【００２７】
又、吸収シート１５の付加構成に特に限定は無い。例えば、吸収シート１５の上面のうち、ユーザーの股間の正面の下方近傍に対面する領域に、補助吸収シート２２を更に設けると好ましい。これにより、漏れた排泄物の量が多量である場合、吸収シート１５で吸収しきれない排泄物を、外部に漏れる可能性の高いところで補助吸収シート２１が吸収するため、外部への排泄物の漏れを確実に防止することが可能となる。
【００２８】
又、股間カバー１の付加構成に特に限定は無い。例えば、股間カバー１のうち、ユーザーの股間の正面に対面する領域に、男性の小用のための開口部２３を設け、当該開口部２３を、接着テープ等の接着部材２４で接着するよう構成すると好ましい。これにより、男性がふんどし型オムツ１を着用する場合は、接着部材２４を外して、開口部２３を介して小用をすることが可能となる。一方、女性がふんどし型オムツ１を着用する場合は、接着部材２４を外さずに、そのまま利用することが可能となる。
【００２９】
次に、本考案に係るオムツ１の着用方法について説明する。先ず、図４Ａに示すように、ユーザーが、第一の腰部カバー１０の（上方の）左右端部１０ａ、１０ｂをそれぞれ持って、第一の腰部カバー１０を腰部の正面から背面まで巻き付ける。すると、図４Ｂに示すように、ユーザーの腰部の正面では、第一の腰部カバー１０の左右端部１０ａ、１０ｂが配置され、図５Ａに示すように、ユーザーの腰部の背面では、第一の腰部カバー１０から股間カバー１１、第二の腰部カバー１２、挿入カバー１３の順で下方に垂れ下がった状態となる。又、第一の腰部カバー１０の右端部１０ａの第一の留め部１８と、第一の腰部カバー１０の左端部１０ｂの第二の留め部１９とがユーザーの腰部の正面の下方（股間近傍）に現れる。更に、第一の腰部カバー１０の背面に設けられた第一の着脱部１８がユーザーの腰部の正面に現れる。
【００３０】
ここで、紐通し１６及び紐１７があれば、図５Ｂに示すように、ユーザーが、紐１７の両端部を腰部の正面で結わえば、第一の腰部カバー１０を強固に腰部に巻き付けることが出来る。図５Ｂでは、紐１７の両端部を蝶々結びに結んでいる。又、第一の留め部１８と、第二の留め部１９とが紐の場合、図５Ｂに示すように、両者を結ぶことで、更に、第一の腰部カバー１０を強固に腰部に巻き付けることが出来る。これにより、ユーザーが激しく運動しても第一の腰部カバー１０は外れなくなる。
【００３１】
そして、図６Ａに示すように、ユーザーは、股間カバー１１を腰部の背面下方から股間をくぐらせて当該股間の正面まで引き上げ、更に、当該股間カバー１１と連接する第二の腰部カバー１２を腰部の正面に配置させると、ふんどしのようにオムツ１を装着することが出来る。又、この状態では、挿入カバー１３がユーザーの腰部の正面に現れる。
【００３２】
ここで、第二の腰部カバー１２の第二の着脱部１９は、第一の腰部カバー１０の第一の着脱部１８と対面するため、両者を接合することで、本考案に係るオムツ１を更に強固に装着することが出来る。又、第二の腰部カバー１２により、結んだ紐１７、第一の留め部１８、第二の留め部１９が隠れるため、見た目もすっきりした外観になる。
【００３３】
そして、図６Ｂに示すように、ユーザーは、腰部の正面に現れた挿入カバー１３（の他方の端部）を、第一の腰部カバー１０の左右端部１０ａ、１０ｂの内面に挿入する。これにより、本考案に係るオムツ１を更に強固に装着することが出来る。ここで、図６Ｂに示すように、挿入カバー１３と、第一の腰部カバー１０の左右端部１０ａ、１０ｂと、第二の腰部カバー１２とをこの順番で留める（挟む）装着部２５を更に備えると好ましい。これにより、ユーザーが激しく運動しても第一の腰部カバー１０、第二の腰部カバー１２、挿入カバー１３は外れなくなる。前記装着部２５は、髪留めピンでも、虫ピンでも、構わない。尚、ユーザーが本考案に係るオムツ１を取り外す場合は、上述とは逆の手順で行なえば良い。
【産業上の利用可能性】
【００３４】
以上のように、本考案に係るオムツは、男性用、高齢者用、成人用のユーザーに有用であり、下着や着衣を排泄物で汚すこと無く、長時間の着用でも蒸れを軽減することが可能なオムツとして有効である。
【符号の説明】
【００３５】
１  オムツ
１０  第一の腰部カバー
１１  股間カバー
１２  第二の腰部カバー
１３  挿入カバー
１４  気泡緩衝材
１５  吸収シート
【図１】
0003195632.tif 000003
【図２】
0003195632.tif 000004
【図３】
0003195632.tif 000005
【図４】
0003195632.tif 000006
【図５】
0003195632.tif 000007
【図６】
0003195632.tif 000008